(57)【要約】【課題】天候の如何に拘わらずスピン量を安定して確保する。【解決手段】フェース面１２のスコアライン１４に挟まれた複数の帯状領域３０に形成された複数の細溝３２は、複数の第１の溝部１６Ａと複数の第２の溝部１６Ｂとを含み、第１の溝部１６Ａと第２の溝部１６Ｂとは、トウヒール方向と交差する方向において隣り合う帯状領域３０毎に交互に形成されている。そして、スコアライン１４に対して第１の溝部１６Ａと第２の溝部１６Ｂがなす角度のうち、ヒール２６からトウ２８に至るにしたがってそれら溝部が上方に変位する場合の角度を正、下方に変位する場合の角度を負としたとき、第１の溝部１６Ａがスコアライン１４に対してなす角度および第２の溝部１６Ｂがスコアライン１４に対してなす角度のうち、一方の角度が正で他方の角度が負であるようにした。【選択図】図１１
2014030566.tif 000002
【特許請求の範囲】
【請求項１】
フェース面と、
前記フェース面にトウヒール方向に延在しトウヒール方向と交差する方向に間隔をおいて互いに平行に形成された複数のスコアラインと、
前記複数のスコアラインで挟まれ細長状にトウヒール方向に延在する前記フェース面の部分で形成された複数の帯状領域と、
前記複数の帯状領域に形成された複数の細溝とを備えるゴルフクラブヘッドであって、
前記複数の細溝は、複数の第１の溝部と複数の第２の溝部とを含み、
前記第１の溝部と前記第２の溝部とは、前記交差する方向において隣り合う前記帯状領域毎に交互に形成され、
前記スコアラインに対して前記第１の溝部と前記第２の溝部とがなす角度のうち、ヒールからトウに至るにしたがってそれら溝部が上方に変位する場合の角度を正、下方に変位する場合の角度を負としたとき、
前記第１の溝部が前記スコアラインに対してなす角度および前記第２の溝部が前記スコアラインに対してなす角度のうち、一方の角度が正で他方の角度が負である、
ことを特徴とするゴルフクラブヘッド。
【請求項２】
前記正の角度は、１０度以上８０度以下の範囲内であり、
前記負の角度は、−８０度以上−１０度以下の範囲内である、
ことを特徴とする請求項１記載のゴルフクラブヘッド。
【請求項３】
前記第１の溝部の延在方向の両端および前記第２の溝部の延在方向の両端は、前記スコアラインの近傍に位置し、前記スコアラインと接触していない、
ことを特徴とする請求項１または２記載のゴルフクラブヘッド。
【請求項４】
前記第１の溝部および前記第２の溝部の深さは、５μｍ以上２５μｍ以下の範囲内であり、
前記第１の溝部および前記第２の溝部の幅は、０．０５ｍｍ以上０．２０ｍｍ以下の範囲内であり、
前記第１の溝部および前記第２の溝部の配置間隔は、０．５ｍｍ以上５．０ｍｍ以下の範囲内である、
ことを特徴とする請求項１〜３に何れか１項記載のゴルフクラブヘッド。
【請求項５】
前記第１の溝部および前記第２の溝部は、直線または曲線である、
ことを特徴とする請求項１〜４に何れか１項記載のゴルフクラブヘッド。
【請求項６】
前記第１の溝部および前記第２の溝部は、切削加工、あるいは、レーザ加工、あるいは、打刻により形成される、
ことを特徴とする請求項１〜５に何れか１項記載のゴルフクラブヘッド。
【請求項７】
前記複数の細溝は、前記フェース面の下縁から、前記スコアラインのうち最も長いスコアラインの中点を通り前記スコアラインと直交する直線に沿って少なくとも前記フェース面の下縁から１５ｍｍに最も近いスコアラインまで形成されている、
ことを特徴とする請求項１〜６に何れか１項記載のゴルフクラブヘッド。
【請求項８】
前記複数の細溝は、最もフェース面下縁寄りに位置するスコアラインと前記フェース面下縁との間の前記フェース面の箇所にも形成されている、
ことを特徴とする請求項１〜７に何れか１項記載のゴルフクラブヘッド。
【発明の詳細な説明】
【技術分野】
【０００１】
本発明はゴルフクラブヘッドに関する。
【背景技術】
【０００２】
一般的に、ゴルフクラブヘッドのフェース面には、トウヒール方向と直交する方向に間隔をおいて形成された複数のスコアラインが形成されている。
スコアラインは、以下の機能を奏する。
１）ゴルフボールを打球したときにスピン量を増加させる。
２）芝や泥・水などフェース面とゴルフボールの間の介在物を排出する。
３）ゴルフボールとフェース面間でのスリップ現象を抑制する。
しかし、スコアラインを有していても、ボールとフェース面の衝突角が大きくなるウェッジクラブ（ロフトが大きいクラブ）では、しばしばスリップ現象が発生することがあるし、フェース面とボール間の摩擦力不足によりスピン量が少ない場面が多々ある。
また、上述したようにスコアラインのスピンに対する影響は大きく、非スリップ時のスピン量増大・スリップ減少の抑止に大きな意味を持っている。
しかし、スコアラインに対するルール規制は厳しく、一般的にはスコアラインの配置はある程度決まってしまう。
また、スコアラインのエッジ形状についても、最近ルールが制定され、角形状はスピン量を増大させるとして、丸みを帯びた形状にせざるを得ない。
そこで、スコアラインよりも細い細溝をフェース面に形成することで、言い換えると、スコアライン以外の平面部分に細溝を形成することで、スピン量の増大およびスリップの抑止を図ったゴルフクラブヘッドが提案されている。
例えば、特許文献１には、複数の細溝の配列方向とスコアラインとがなす角度を特定の角度範囲に設定したゴルフクラブヘッドが提案されている。
また、特許文献２には、スコアラインと平行な第１の細溝と、第１の細溝と交差する第２の細溝とを形成したゴルフクラブヘッドが提案されている。
【先行技術文献】
【特許文献】
【０００３】
【特許文献１】特開２００８−１３２１６８号公報
【特許文献２】特開２０１１−２３４７４９号公報
【発明の概要】
【発明が解決しようとする課題】
【０００４】
しかしながら、上記従来技術では、フェース面でゴルフボールを打撃した際にフェース面上を接触しつつ移動するゴルフボールの移動方向と細溝の延在方向とが交差していることから、ゴルフボールと細溝との間に存在する水が排水されにくい。
そのため、雨天時にはゴルフボールがフェース面上でスリップしやすく、晴天時でのスピン量と雨天時でのスピン量とで大きな差異が発生してしまうため、改善の余地がある。
本発明は、このような事情に鑑みてなされたものであり、その目的は、天候の如何に拘わらずスピン量を安定して確保する上で有利なゴルフクラブヘッドを提供することにある。
【課題を解決するための手段】
【０００５】
上記目的を達成するために、本発明は、フェース面と、前記フェース面にトウヒール方向に延在しトウヒール方向と交差する方向に間隔をおいて互いに平行に形成された複数のスコアラインと、前記複数のスコアラインで挟まれ細長状にトウヒール方向に延在する前記フェース面の部分で形成された複数の帯状領域と、前記複数の帯状領域に形成された複数の細溝とを備えるゴルフクラブヘッドであって、前記複数の細溝は、複数の第１の溝部と複数の第２の溝部とを含み、前記第１の溝部と前記第２の溝部とは、前記交差する方向において隣り合う前記帯状領域毎に交互に形成され、前記スコアラインに対して前記第１の溝部と前記第２の溝部とがなす角度のうち、ヒールからトウに至るにしたがってそれら溝部が上方に変位する場合の角度を正、下方に変位する場合の角度を負としたとき、前記第１の溝部が前記スコアラインに対してなす角度および前記第２の溝部が前記スコアラインに対してなす角度のうち、一方の角度が正で他方の角度が負であることを特徴とする。
【発明の効果】
【０００６】
本発明によれば、第１の溝部および第２の溝部の一方がフェース面上におけるゴルフボールの移動軌跡と交差し、第１の溝部および第２の溝部の他方が移動軌跡とほぼ平行するため、第１の溝部および第２の溝部の一方によってゴルフボールのスピン量を増加させることができ、かつ、第１の溝部および第２の溝部の他方によって排水性を向上させることができる。したがって、天候の如何に拘わらずスピン量を安定して確保する上で有利となる。
【図面の簡単な説明】
【０００７】
【図１】（Ａ）、（Ｂ）は打撃時におけるゴルクラブヘッド１０とゴルフボール２の挙動を説明する図である。
【図２】（Ａ）はフェース面１２に複数の第１の溝部１６Ａが形成されたゴルフクラブヘッド１０の正面図、（Ｂ）は（Ａ）の部分断面図、（Ｃ）は水がフェース面１２に付着した場合の説明図である。
【図３】（Ａ）はフェース面１２に複数の第２の溝部１６Ｂが形成されたゴルフクラブヘッド１０の正面図、（Ｂ）は（Ａ）の部分断面図、（Ｃ）は水がフェース面１２に付着した場合の説明図である。
【図４】（Ａ）〜（Ｃ）はウェッジクラブのゴルクラブヘッド１０とゴルフボール２の挙動を説明する図である。
【図５】（Ａ）〜（Ｄ）は試料Ａ〜Ｄの正面図である。
【図６】試料Ａ〜Ｄを用いた実験の説明図である。
【図７】各試料Ａ〜Ｄの表面が水で濡れていない状態における各試料Ａ〜Ｄにおける衝突角とスピン量との測定結果を示す線図である。
【図８】（Ａ）は試料Ｂの正面図、（Ｂ）はゴルフボール２を打撃した場合における（Ａ）のＢＢ線断面の拡大図である。
【図９】各試料Ａ〜Ｄの表面を水で濡らした状態における各試料Ａ〜Ｄにおける衝突角とスピン量との測定結果を示す線図である。
【図１０】（Ａ）は試料Ｄの正面図、（Ｂ）はゴルフボール２を打撃した場合における（Ａ）のＢＢ線断面の拡大図である。
【図１１】本実施の形態のゴルフクラブヘッド１０の正面図である。
【図１２】図１１のスコアライン１４および細溝３２の部分拡大図である。
【図１３】スコアライン１４に対して第１の溝部１６Ａと第２の溝部１６Ｂとがなす角度α、角度βの説明図である。
【図１４】ゴルフクラブヘッド１０を取り付けたゴルフクラブ測定器１００の斜視図である。
【図１５】実験例１のゴルフクラブヘッド１０の正面図である。
【図１６】実験例２のゴルフクラブヘッド１０の正面図である。
【図１７】実験例３のゴルフクラブヘッド１０の正面図である。
【図１８】実験例４のゴルフクラブヘッド１０の正面図である。
【図１９】実験例５のゴルフクラブヘッド１０の正面図である。
【図２０】実験例６のゴルフクラブヘッド１０の正面図である。
【図２１】実験例７のゴルフクラブヘッド１０の正面図である。
【図２２】実験例８のゴルフクラブヘッド１０の正面図である。
【図２３】実験例１０のゴルフクラブヘッド１０の正面図である。
【図２４】実験例１２のゴルフクラブヘッド１０の正面図である。
【図２５】第１の溝部１６Ａおよび第２の溝部１６Ｂが曲線である場合における第１の溝部１６Ａおよび第２の溝部１６Ｂがスコアライン１４となす角度の規定を示す説明図である。
【図２６】実験例１〜１４の実験結果を示す第１の図である。
【図２７】実験例１〜１４の実験結果を示す第２の図である。
【図２８】実験例１５〜３８の実験結果を示す第１の図である。
【図２９】実験例１５〜３８の実験結果を示す第２の図である。
【図３０】ゴルフのルールで規定されるスコアライン１４の形状の説明図である。
【発明を実施するための形態】
【０００８】
本発明の実施の形態について説明する前に、ゴルフクラブヘッド１０のフェース面１２に形成された細溝の効果について説明する。
【０００９】
図１（Ａ）に示すように、ゴルフクラブヘッドがウェッジクラブの場合は、ヘッドが開き気味の状態でゴルフボール２を打撃する。
そのため、図１（Ｂ）に示すように、フェース面１２を正面から見て、ゴルフクラブヘッド１０のフェース面１２上におけるゴルフボール２の移動軌跡Ａは、スコアライン１４に対して斜め左上方向となる。
【００１０】
図２（Ａ）は、フェース面１２に形成され複数のスコアライン１４で挟まれたトウヒール方向に延在する複数の帯状領域３０に細溝を構成する複数の第１の溝部１６Ａを形成したゴルフクラブヘッド１０の正面図、（Ｂ）は（Ａ）のＢＢ線断面の一部を拡大した図である。
この場合、複数の第１の溝部１６Ａは、それら第１の溝部１６Ａとゴルフボール２の移動軌跡Ａ（図１（Ｂ））がほぼ直交するように、ヒールからトウに至るにしたがってそれら第１の溝部１６Ａが下方に変位する角度で形成されている。
この場合、フェース面１２上でゴルフボール２が摺動する際にゴルフボール２の表面と摺動する第１の溝部１６Ａの数が増大するため、ゴルフボール２のスピン量を増やす上で有利となる。
【００１１】
一方、図２（Ｃ）に示すように、雨天などにより水Ｗが複数の第１の溝部１６Ａに付着したものとする。
この場合、第１の溝部１６Ａを設けることによって水分の逃げ道が増える。したがって、ゴルフクラブヘッド１０をスウィングしてゴルフボール２を打撃すると、打撃時における排水性能の向上が見込める反面、スウィング方向も、ゴルフボール２の移動軌跡も第１の溝部１６Ａとほぼ直交するため、第１の溝部１６Ａによる排水性能を確保する上では不利となる。
また、フェース面１２上に水分がある状態でスウィングした場合、スウィングにより、水分がフェース面１２から吹き飛ばされるが、第１の溝部１６Ａが形成されている場合は、第１の溝部１６Ａによる水分保持力が高いため、フェース面１２に水分が残り易くなる。したがって、このようなことからも第１の溝部１６Ａによる排水性能を十分に確保する上で不利がある。
【００１２】
図３（Ａ）は、フェース面１２に形成され複数のスコアライン１４で挟まれたトウヒール方向に延在する複数の帯状領域３０に細溝を構成する複数の第２の溝部１６Ｂを形成したゴルフクラブヘッド１０の正面図、（Ｂ）は（Ａ）のＢＢ線断面の一部を拡大した図である。
この場合、複数の第２の溝部１６Ｂは、それら第２の溝部１６Ｂとゴルフボール２の移動軌跡Ａ（図１（Ｂ））がほぼ平行するように、ヒールからトウに至るにしたがってそれら第２の溝部１６Ｂが上方に変位する角度で形成されている。
【００１３】
一方、図３（Ｃ）に示すように、雨天などにより水Ｗが複数の第２の溝部１６Ｂに付着したものとする。
この状態で、ゴルフクラブヘッド１０をスウィングしてゴルフボール２を打撃すると、スウィング方向も、ゴルフボール２の移動軌跡も第２の溝部１６Ｂとほぼ平行することになるため、水は第２の溝部１６Ｂに沿って流れて排水され易く、したがって、ゴルフボール２がフェース面１２上でスリップしにくくなる。
しかしながら、この場合、フェース面１２上でゴルフボール２が摺動する際にゴルフボール２の表面と摺動する第２の溝部１６Ｂの数が減少するため、ゴルフボール２のスピン量を増やす上で不利となる。
【００１４】
したがって、図２、図３に示したように、溝部１６Ａ、１６Ｂの方向をどちらか一方にしたのでは、ゴルフボール２のスピン量の増大と排水性の向上との何れか一方を確保する上で有利になるものの、他方の性能が低下してしまう不都合が生じることになる。
【００１５】
次に、実際にゴルファがウェッジクラブのゴルフクラブヘッド１０を用いてゴルフボール２を打撃したときのフェース面１２上でのゴルフボール２の移動軌跡について詳細に説明する。
図４（Ａ）に示すように、ゴルフクラブヘッド１０でゴルフボール２を打撃すると、ゴルフボール２はフェース面１２上で矢印方向に移動する。
実際の測定結果から、ウェッジクラブのゴルフクラブヘッド１０の場合は、図４（Ｂ）に示すように、ゴルフクラブヘッド１０の移動軌跡がアウトサイドインであって、かつ、図４（Ｃ）に示すように、フェース面１２が開かれた状態でゴルフボール２が打撃されることが多いことがわかった。なお、ウェッジクラブ以外のゴルフクラブヘッド１０の場合は、ゴルフクラブヘッド１０の移動軌跡はウェッジクラブよりもストレートに近い傾向である。
したがって、ウェッジクラブのゴルフクラブヘッド１０の場合は、ウェッジクラブ以外のゴルフクラブヘッド１０に比べて、フェース面１２上でのゴルフボール２の移動軌跡が、ヒールからトウに至るにしたがって上方に変位する軌跡となる傾向が顕著となることがわかる。
【００１６】
次に、フェース面１２上に形成する細溝を構成する溝部の配置形態を様々に変えてスピン量および排水性がどのように変化するかを実験した。
【００１７】
図５（Ａ）〜（Ｄ）に示すように、フェース面１２の溝部の配置形態を異ならせた４種類の試料Ａ〜Ｄを作製した。
各試料Ａ〜Ｄとも同形同大の矩形板状の金属板材の表面に複数のスコアライン１４を形成し、試料Ｃ〜Ｄにはさらに溝部を形成した。
図５（Ａ）は、試料Ａであり、スコアライン１４のみを形成したものである。
図５（Ｂ）は、試料Ｂであり、スコアライン１４の間にスコアライン１４と平行する複数の第１の溝部１６Ａを形成したものである。
図５（Ｃ）は、試料Ｃであり、スコアライン１４と直交する複数の第２の溝部１６Ｂをスコアライン１４の延在方向に間隔をおいて形成したものである。
図５（Ｄ）は、試料Ｄであり、スコアライン１４の間に、スコアライン１４と平行する複数の第１の溝部１６Ａと、スコアライン１４と直交する複数の第２の溝部１６Ｂとを交互に形成したものである。
【００１８】
図６に示すように、各試料Ａ〜Ｄをその表面が斜め上方を向くように傾斜した状態で固定台座４に取着し、エアキャノン６からゴルフボール２を打ち出して各試料Ａ〜Ｄの表面に当てる。
なお、この場合、スコアライン１４は水平方向と平行させている。
ゴルフボール２の移動方向と各試料Ａ〜Ｄの表面の法線とがなす角度を衝突角とする。
各試料Ａ〜Ｄの表面に当たったのちのゴルフボール２のスピン量を測定した。
【００１９】
図７は、各試料Ａ〜Ｄにおける衝突角とスピン量との測定結果を示す線図である。
図７からわかるように、スピン量を確保する効果は、試料Ａ、Ｃが最低であり、試料Ｄが中間であり、試料Ｂが最大である。
したがって、図８（Ａ）に示すように、ゴルフボール２の起動軌跡と第１の溝部１６Ａの延在方向とが直交することがスピン量を確保する上で有利であることがわかる。
これは、図８（Ｂ）に示すように、フェース面１２におけるスコアライン１４の間の平坦な帯状領域に形成された第１の溝部１６Ａが、ゴルフボール２の起動軌跡と交差（直交）しているため、試料Ａ〜Ｄの表面上でゴルフボール２が摺動する際にゴルフボール２の表面と摺動する第１の溝部１６Ａの数が多く、かつ、第１の溝部１６Ａがゴルフボール２の表面に引っかかり易く、ゴルフボール２とフェース面１２との間に大きな摩擦が発生することによるものである。
【００２０】
次に、各試料の表面を水で濡らした状態で上記と同様の実験を行った。
具体的には、水を含浸させた薬包紙を各試料Ａ〜Ｄの表面全域に貼り付けた状態とした。
図９に実験結果を示す。図９からわかるように、試料の表面が水で濡れた状態では、スピン量を確保する効果は、試料Ａ、試料Ｂ、試料Ｄ、試料Ｃの順番で大きくなる。
したがって、図１０（Ａ）に示すように、試料の表面が水で濡れた状態では、ゴルフボール２の起動軌跡と第２の溝部１６Ｂの延在方向とがほぼ平行することがスピン量を確保する上で有利であることがわかる。
これは、図１０（Ｂ）に示すように、スコアライン１４の間の平坦な帯状領域に形成された第２の溝部１６Ｂがゴルフボール２の起動軌跡とほぼ平行しているため、ゴルフボール２とフェース面１２との間の水が矢印で示すように第２の溝部１６Ｂに沿って排出されやすく、ゴルフボール２がフェース面１２上でスリップしにくくなることによるものである。
【００２１】
以上の実験結果から、フェース面１２上にゴルフボール２の移動軌跡と交差する第１の溝部１６Ａと、移動軌跡とほぼ平行する第２の溝部１６Ｂとの双方を設けると、ゴルフボール２およびフェース面１２に水が付いているか否かの影響を受けることなく、ゴルフボール２のスピン量を安定して確保する上で有利となることが期待される。
本発明は、上述した知見に基いてなされたものである。
【００２２】
（実施の形態）
次に本発明の実施の形態について説明する。
図１１は、本実施の形態のゴルフクラブヘッド１０の正面図、図１２は、図１１の部分拡大図である。
本実施の形態では、ゴルフクラブヘッド１０がウェッジクラブのゴルフクラブヘッドである場合について説明するが、本発明はウェッジクラブ以外のゴルフクラブのアイアン型ゴルフクラブヘッドにも適用可能である。この場合、ウェッジクラブを含むアイアン型ゴルフクラブヘッドのロフト角は、４０度〜７０度の範囲である。
また、ゴルフクラブヘッド１０の材質は、鉄（SUS、軟鉄）、カーボン、Ti、セラミックスなど従来公知の様々な材料が使用可能である。
【００２３】
ゴルフクラブヘッド１０は、フェース部１８と、ソール部２０と、ブレード部２２と、ホーゼル２４とを備えている。
フェース部１８は、その前面が上下の高さを有して左右に延在するフェース面１２とされている。
ソール部２０は、フェース部１８の下部によって形成され、ソール部２０の下面がソール面となっている。
ブレード部２２は、フェース部１８の上部によって形成されている。
ホーゼル２４は、フェース部１８のヒール２６側の箇所から起立され、ホーゼル２４にシャフト１１の一端が挿入して取着されることでのシャフト１１がゴルフクラブヘッド１０に連結される。なお、図１１において符号２８はゴルフクラブヘッド１０のトウである。
【００２４】
ゴルフクラブヘッド１０は、さらに複数のスコアライン１４と、複数の帯状領域３０と、複数の細溝３２とを備えている。
【００２５】
スコアライン１４は、フェース面１２にトウヒール方向に延在しトウヒール方向と交差（直交）する方向に間隔をおいて互いに平行に複数形成されており、スコアライン１４は溝で形成されている。
本実施の形態では、スコアライン１４の深さは２００〜６００μｍ、幅は２５０μｍ〜１０００μｍ、スコアライン１４の間隔は１．５〜６．０ｍｍである。
【００２６】
複数の帯状領域３０は、複数のスコアライン１４で挟まれ細長状にトウヒール方向に延在するフェース面１２の部分で形成されている。
【００２７】
複数の細溝３２は、複数の帯状領域３０に形成されており、複数の細溝３２は、複数の第１の溝部１６Ａと複数の第２の溝部１６Ｂとを含んでいる。
第１の溝部１６Ａおよび第２の溝部１６Ｂは、直線または曲線である。
第１の溝部１６Ａおよび第２の溝部１６Ｂは、切削加工、あるいは、レーザ加工、あるいは、打刻により形成される。
【００２８】
第１の溝部１６Ａと第２の溝部１６Ｂとは、トウヒール方向と交差（直交）する方向において隣り合う帯状領域３０毎に交互に形成されている。
図１３に示すように、スコアライン１４に対して第１の溝部１６Ａと第２の溝部１６Ｂとがなす角度のうち、ヒール２６からトウ２８に至るにしたがってそれら溝部が上方に変位する場合の角度αを正、ヒール２６からトウ２８に至るにしたがってそれら溝部が下方に変位する場合の角度βを負と規定する。
この場合、第１の溝部１６Ａがスコアライン１４に対してなす角度および第２の溝部１６Ｂがスコアライン１４に対してなす角度のうち、一方の角度が正で他方の角度が負である。本実施の形態では、第１の溝部１６Ａの角度が正の角度α＞０で、第２の溝部１６Ｂの角度が負の角度β＜０である。
【００２９】
第１の溝部１６Ａが構成されていると、第１の溝部１６Ａが、ゴルフボール２の起動軌跡と交差しているため、フェース面１２上でゴルフボール２が摺動する際にゴルフボール２の表面と摺動する第１の溝部１６Ａの数が多く、かつ、第１の溝部１６Ａがゴルフボール２の表面に引っかかり易く、ゴルフボール２とフェース面１２との間に大きな摩擦が発生することでスピン量を確保する上で有利となる。
また、第２の溝部１６Ｂが構成されていると、ゴルフボール２の起動軌跡と第２の溝部１６Ｂの延在方向とがほぼ平行するため、ゴルフボール２とフェース面１２との間の水が第２の溝部１６Ｂに沿って排出されやすく、ゴルフボール２がフェース面１２上でスリップしにくくなるため、フェース面１２およびゴルフボール２が水で濡れた状態であってもスピン量を確保する上で有利となる。
したがって、第１の溝部１６Ａおよび第２の溝部１６Ｂの双方が設けられていることにより、ゴルフボール２およびフェース面１２に水が付いているか否かの影響を受けることなく、ゴルフボール２のスピン量を安定して確保する上で有利となる。
【００３０】
なお、本実施の形態では、複数の細溝３２は、最もフェース面１２の下縁寄りに位置するスコアライン１４とフェース面１２の下縁との間のフェース面１２の箇所にも形成されている。
また、複数の細溝３２は、フェース面１２の下縁から、スコアライン１４のうち最も長いスコアライン１４の中点を通りスコアライン１４と直交する直線に沿って少なくともフェース面１２の下縁から１５ｍｍに最も近いスコアライン１４まで形成されている。
フェース面１２の下縁から１５ｍｍに最も近いスコアライン１４まで形成されていると、フェース面１２がゴルフボール２を打撃する際に複数の細溝３２がゴルフボール２の表面に的確に接触させることができ、スピン量を確保する上で有利となる。
【００３１】
正の角度αは、１０度以上８０度以下の範囲内であり、負の角度βは、−８０度以上−１０度以下の範囲内である。
正の角度αが上記範囲内であると、スピン量を確保する上で有利となる。
正の角度αが上記範囲外であると、スピン量を確保する効果が小さくなる。
負の角度βが上記範囲内であると、排水性を確保する上で有利となる。
負の角度βが上記範囲外であると、排水性を確保する効果が小さくなる。
【００３２】
図１２に示すように、第１の溝部１６Ａの延在方向の両端および第２の溝部１６Ｂの延在方向の両端は、スコアライン１４の近傍に位置し、スコアライン１４と接触しないように構成されている。
第１の溝部１６Ａおよび第２の溝部１６Ｂがスコアライン１４と接触し、第１の溝部１６Ａおよび第２の溝部１６Ｂとスコアライン１４とが交差すると、この交差する箇所に水が付着しやすくなる。
本実施の形態のように、第１の溝部１６Ａおよび第２の溝部１６Ｂがスコアライン１４と接触しないと、第１の溝部１６Ａおよび第２の溝部１６Ｂとスコアライン１４とが交差する箇所の水の付着を抑制でき、第１の溝部１６Ａおよび第２の溝部１６Ｂの排水性を確保する上で有利となる。
【００３３】
また、第１の溝部１６Ａおよび第２の溝部１６Ｂの深さは、５μｍ以上２５μｍ以下の範囲内であり、第１の溝部１６Ａおよび第２の溝部１６Ｂの幅は、０．０５ｍｍ以上０．２０ｍｍ以下の範囲内であり、第１の溝部１６Ａおよび第２の溝部１６Ｂの配置間隔は、０．５ｍｍ以上５．０ｍｍ以下の範囲内である。
第１の溝部１６Ａおよび第２の溝部１６Ｂの深さ、幅、配置間隔の全てが上記の範囲内であると、溝部とゴルフボール２との摩擦を大きく確保することができ、スピン量を確保する上で有利となる。
第１の溝部１６Ａおよび第２の溝部１６Ｂの深さ、幅、配置間隔の何れかが上記範囲外であると、溝部とゴルフボール２との摩擦を大きく確保するし、スピン量を確保する効果が小さくなる。
【００３４】
ここで、ゴルフクラブヘッド１０を基準状態に設置する際の基準面について説明する。
図１４に示すように、ゴルフクラブ測定器１００は、ゴルフクラブシャフト１１を保持するシャフト保持部１０２と、シャフト保持部１０２が取付けられたライ角度調整部１０４と、ライ角度調整部１０４と一体に設けられた測定台１０６と、測定台１０６上に前後方向に移動自在に載置されたフェース角度調整具１０８とを備えている。
【００３５】
このゴルフクラブ測定器１００では、ゴルフクラブシャフト１１をシャフト保持部１０２によって保持するとともに、ライ角度調整部１０４によってシャフト保持部１０２の角度を調整することにより、ゴルフクラブが測定台１０６の基準面１０６Ａに対してライ角度通りのアドレスポジションに設置されるようにゴルフクラブシャフト１１の角度を調整する。
【００３６】
次に、ゴルフクラブヘッド１０のソール部２０を基準面１０６Ａに接触させるとともに、フェース角度調整具１０８の先端部１０８Ａにフェース面１２を密着させることにより、先端部１０８Ａに対するフェース角度が０°になるようにゴルフクラブシャフト１１をシャフト保持部１０２のチャック部１０２Ａで固定する。
この状態における基準面１０６Ａがゴルフクラブヘッド１０の基準状態を規定する基準面となる。
【００３７】
以上説明したように、本実施の形態では、フェース面１２のスコアライン１４に挟まれた複数の帯状領域３０に形成された複数の細溝３２は、複数の第１の溝部１６Ａと複数の第２の溝部１６Ｂとを含み、第１の溝部１６Ａと第２の溝部１６Ｂとは、トウヒール方向と交差する方向において隣り合う帯状領域３０毎に交互に形成されている。
そして、スコアライン１４に対して第１の溝部１６Ａと第２の溝部１６Ｂがなす角度のうち、ヒール２６からトウ２８に至るにしたがってそれら溝部が上方に変位する場合の角度を正、下方に変位する場合の角度を負としたとき、第１の溝部１６Ａがスコアライン１４に対してなす角度および第２の溝部１６Ｂがスコアライン１４に対してなす角度のうち、一方の角度が正で他方の角度が負であるようにした。
したがって、第１の溝部１６Ａおよび第２の溝部１６Ｂの一方がフェース面上にゴルフボール２の移動軌跡と交差し、第１の溝部１６Ａおよび第２の溝部１６Ｂの他方が移動軌跡とほぼ平行する。
そのため、第１の溝部１６Ａおよび第２の溝部１６Ｂの一方によってゴルフボール２のスピン量を増加させることができ、かつ、第１の溝部１６Ａおよび第２の溝部１６Ｂの他方によって排水性を向上させることができる。
この結果、ゴルフボール２およびフェース面１２に水が付いているか否かの影響を受けることなく、すなわち、天候の如何に拘わらず、ゴルフボール２のスピン量を安定して確保する上で有利となる。
【００３８】
以下、本発明の実験例について説明する。
なお、以下の実験例の説明では、上記の実施の形態と同一の箇所、部材に同一の符号を付しその説明を省略する。
図２６〜図２９は、本発明に係るゴルフクラブヘッド１０の実験結果を示す図である。
試料となるゴルフクラブヘッド１０を各実験例毎に作成し、１本のゴルフクラブヘッド１０について以下の試験を行った。なお、ゴルフクラブヘッド１０はウェッジクラブとした。
【００３９】
１）ルール適合
細溝がゴルフのルールに適合しているかを示す。
実験例１〜２５、２８〜３８がルールに適合し、実験例２６、２７がルールに適合していない。
【００４０】
以下、ゴルフの規則について図３０を参照して説明する。
スコアライン１４の形状を示すパラメータを以下の通りとする。
Ｗ：スコアライン１４の溝幅
Ｌ：スコアライン１４間の溝間距離
Ｓ：スコアライン１４の断面積
Ｄ：スコアライン１４の溝深さ
【００４１】
この場合、各パラメータは、以下の関係式を満たす必要がある。
Ｌ≧３Ｗ……（１）
Ｌ≧０．０７５インチ（約１．９ｍｍ）……（２）
Ｗ≦０．０３５インチ（約０．９ｍｍ）……（３）
Ｄ≦０．０２０インチ（０．５０８ｍｍ）……（４）
Ｓ／（Ｗ＋Ｌ）≦０．０７６２（ｍｍ２／ｍｍ）……（５）
【００４２】
また、スコアライン１４を構成する溝壁面とフェース面１２となす角部はＲ形状であること。
図３０に示すように、スコアライン１４の幅方向は、フェース面１２となす角度θ＝３０度の直線がスコアライン１４を構成する溝壁面とフェース面１２となす角部の曲線との接点を基準として規定する。
【００４３】
さらに、スコアライン１４間のフェース面１２の平面部分については、以下の表面粗さの規定がある。
Ｒｙ≦４．５μｍ……（６）
Ｒａ≦２５．４μｍ……（７）
ただし、Ｒｙは最大高さ、Ｒａは算術平均粗さであり、ＪＩＳＢ０６０１：１９９４で規定されるものである。
【００４４】
したがって、ゴルフのルールの規定に適合するために、細溝３２は、上記の（６）式、（７）式を満たす必要がある。
したがって、本明細書において、細溝３２がゴルフのルールに適合するとは、（６）式、（７）式の双方を満たすことをいい、細溝３２がゴルフのルールに適合しないとは、（６）式、（７）式の少なくとも一方を満たさないことをいうものとする。
【００４５】
２）スピン量（ドライ、ウェット）
専用のスイングロボットを用いてゴルフクラブをスイングしてゴルフボール２を打撃し、計測器によってゴルフボール２のスピン量を計測した。ヘッドスピードは３３ｍ／ｓとした。
ゴルフクラブヘッドのフェース面１２が乾燥した状態のスピン量（ドライ）と、フェース面１２が水で濡れた状態のスピン量（ウェット）とを計測し、スピン量を指数で評価した。
実験例１のスピン量を１００とし指数が大きいほど評価が良いことを示す。
【００４６】
３）飛距離
専用のスイングロボットを用いてゴルフクラブをスイングしてゴルフボール２を打撃し、飛距離を計測した。ヘッドスピードは３３ｍ／ｓとした。
飛距離を指数で評価した。
実験例１の飛距離を１００とし指数が大きいほど評価が良いことを示す。
【００４７】
４）安定性
安定性は、２）のスピン量の測定を１０回（Ｎ＝１０）繰り返した場合の試験結果におけるスピン量のバラツキ（標準偏差）を評価するものである。
安定性を指数で評価した。
実験例１の安定性を１００とし指数が大きいほど評価が良いことを示す。
【００４８】
５）合計点
上述したスピン量（ドライ）、スピン量（ウェット）、飛距離、安定性の４つの指数を合計したものを合計点とした。
実験例１の合計点を４００とし合計点が大きいほど評価が良いことを示す。
【００４９】
次に、実験例１〜３８のフェース面１２の形状について説明する。
なお、実験例１〜１２、１５〜１７は本発明の範囲外であり、実験例１３、１４、１８〜３８が本発明の範囲内である。
【００５０】
実験例１は本発明の範囲外であり、図１５に示すように、フェース面１２にスコアライン１４のみが形成され、細溝は形成されていないものである。
【００５１】
実験例２は本発明の範囲外であり、図１６に示すように、フェース面１２の中心点を通りトウヒール方向と直交する仮想線Ｌ１上に中心を有する同一半径（５０ｍｍ）の円を、前記仮想線Ｌ１上に沿って一定間隔で描いたときに各円の円周に沿って溝部３４Ａを形成することで細溝３４を構成したものであり、溝部３４Ａは下方に凸状を呈している。
【００５２】
実験例３は本発明の範囲外であり、図１７に示すように、図１６と同様に同一半径の円を、仮想線Ｌ１上に沿って一定間隔で描いたときに各円の円周に沿って溝部３４Ｂを形成することで細溝３４を構成したものであり、溝部３４Ｂが上方に凸状を呈している点が実験例２と相違している。
【００５３】
実験例４は本発明の範囲外であり、図１８に示すように、スコアライン１４の間の帯状領域３０に、スコアライン１４と平行に延在する直線状の溝部３６Ａをスコアライン１４の延在方向と直交する方向に等間隔をおいて複数設けることで細溝３６を構成したものである。
【００５４】
実験例５は本発明の範囲外であり、図１９に示すように、スコアライン１４の間の帯状領域３０に、スコアライン１４と平行な複数の直線溝部３８Ａと、直線溝部３８Ａと交差する複数のジグザグ状溝部３８Ｂとを形成して細溝３８を構成したものである。
【００５５】
実験例６は本発明の範囲外であり、図２０に示すように、スコアライン１４の間の帯状領域３０に、ヒール２６からトウ２８に至るにつれて上方に傾斜する溝部４０Ａとヒール２６からトウ２８に至るにつれて下方に傾斜する溝部４０Ｂとをトウヒール方向において繰り返して形成して細溝４０を構成したものである。
【００５６】
実験例７は本発明の範囲外であり、図２１に示すように、スコアライン１４と直交する溝部４２Ａをスコアライン１４の延在方向に等間隔をおいて形成して細溝４２を構成したものである。
【００５７】
実験例８は本発明の範囲外であり、図２２に示すように、フェース面１２の中心点を通りトウヒール方向に延在する仮想線Ｌ２上に中心を有する同一半径（５０ｍｍ）の円を、仮想線Ｌ２上に沿って一定間隔で描いたときに各円の円周に沿って溝部４４Ａを形成することで細溝４４を構成したものであり、溝部４４Ａはトウ方向に凸状を呈している。
【００５８】
実験例９は本発明の範囲外であり、図２（Ａ）に示すように、スコアライン１４で挟まれた帯状領域３０に細溝を構成する複数の第１の溝部１６Ａを形成し、それら第１の溝部１６Ａは、ヒール２６からトウ２８に至るにしたがって下方に変位する角度で形成されたものである。
【００５９】
実験例１０は本発明の範囲外であり、図２３に示すように、フェース面１２の中心点を通り、ヒール２６からトウ２８に至るにしたがって上方に変位する仮想線Ｌ３上に中心を有する同一半径（５０ｍｍ）の円を、仮想線Ｌ３上に沿って一定間隔で描いたときに各円の円周に沿って溝部４６Ａを形成することで細溝４６を構成したものであり、溝部４６Ａはヒール２６からトウ２８に至るにしたがって下方に変位している（右上がり曲線となっている）。
【００６０】
実験例１１は本発明の範囲外であり、図３（Ａ）に示すように、スコアライン１４で挟まれた帯状領域３０に細溝を構成する複数の第２の溝部１６Ｂを形成し、それら第２の溝部１６Ｂは、ヒール２６からトウ２８に至るにしたがって上方に変位する角度で形成されたものである。
【００６１】
実験例１２は本発明の範囲外であり、図２４に示すように、フェース面１２の中心点を通り、ヒール２６からトウ２８に至るにしたがって下方に変位する仮想線Ｌ４上に中心を有する同一半径（５０ｍｍ）の円を、仮想線Ｌ４上に沿って一定間隔で描いたときに各円の円周に沿って溝部４８Ａを形成することで細溝４８を構成したものであり、溝部４８Ａはヒール２６からトウ２８に至るにしたがって上方に変位している（左上がり曲線となっている）。
【００６２】
実験例１３は本発明の範囲内であり、図１１、図１２に示す実施の形態と同様に構成されており、第１の溝部１６Ａおよび第２の溝部１６Ｂは直線で形成されている。
実験例１４は本発明の範囲内であり、実験例１３と異なるのは、第１の溝部１６Ａおよび第２の溝部１６Ｂが曲線で形成されている点である。
実験例１４において、第１の溝部１６Ａおよび第２の溝部１６Ｂは、例えば、半径１５ｍｍの円弧に沿って形成されている。
なお、第１の溝部１６Ａおよび第２の溝部１６Ｂが曲線で形成されている場合、第１の溝部１６Ａおよび第２の溝部１６Ｂがスコアライン１４に対してなす角度α、βは、図２５に示すように、第１の溝部１６Ａおよび第２の溝部１６Ｂの中間部分の接線Ｍがスコアライン１４となす角度とする。
【００６３】
実験例１５、１６、１７は、本発明の範囲外であり、請求項１の第１の溝部１６Ａと第２の溝部１６Ｂとが、トウヒール方向と交差（直交）する方向において隣り合う帯状領域３０毎に交互に形成されるという規定を満たしていないものである。
例えば、第１の溝部１６ＡをＡ、第２の溝部１６ＢをＢとしたとき、細溝３２の構成をＡとＢとの組み合わせで表現して説明する。
【００６４】
実験例１５は、細溝３２の構成が、ＡＢＢＡＢＢＡ……、あるいは、ＡＡＢＡＡＢＡＡ……といったように２つの第１の溝部１６Ａ同士あるいは２つの第２の溝部１６Ｂ同士が隣り合ってしまうような配列となっている。
【００６５】
実験例１６は、細溝３２の構成が、ＡＢＢＢＡＢＢＢＡ……、あるいは、ＡＡＡＢＡＡＡＢＡＡＡＢ……といったように３つの第１の溝部１６Ａ同士あるいは３つの第２の溝部１６Ｂ同士が隣り合ってしまうような配列となっている。あるいは、フェース面１２の中心点から上半分が第１の溝部１６Ａ、下半分が第２の溝部１６Ｂといったように上下に区分されている。
【００６６】
実験例１７は、スコアライン１４で挟まれた１つの帯状領域３０に第１の溝部１６Ａと第２の溝部１６Ｂとが混在しており、第１の溝部１６Ａと第２の溝部１６Ｂとが交互に配列されているものである。
【００６７】
実験例１８、１９は、本発明の範囲内であり、請求項１の規定は満たすが請求項２の規定を満たさないものである。
実験例１８は、第１の溝部１６Ａがスコアライン１４に対してなす正の角度αが１０度以上８０度以下の範囲を下回る９度である。
実験例１９は、第１の溝部１６Ａがスコアライン１４に対してなす正の角度αが１０度以上８０度以下の範囲を上回る８１度である。
【００６８】
実験例２０、２１は、本発明の範囲内であり、請求項１、２の規定は満たすが請求項２の規定の下限値あるいは上限値に近い値である。
実験例２０は、第１の溝部１６Ａがスコアライン１４に対してなす正の角度αが１０度以上８０度以下の範囲の下限値に近い１０．５度である。
実験例２１は、第１の溝部１６Ａがスコアライン１４に対してなす正の角度αが１０度以上８０度以下の範囲を上限値に近い７９．５度である。
【００６９】
実験例２２、２３は、本発明の範囲内であり、請求項１の規定は満たすが請求項２の規定を満たさないものである。
実験例２２は、第２の溝部１６Ｂがスコアライン１４に対してなす負の角度βが−８０度以上−１０度以下の範囲を上回る−９度である。
実験例２３は、第２の溝部１６Ｂがスコアライン１４に対してなす負の角度βが−８０度以上−１０度以下の範囲を下回る−度８１度である。
【００７０】
実験例２４、２５は、本発明の範囲内であり、請求項１、２の規定は満たすが請求項２については規定の下限値あるいは上限値に近い値である。
実験例２４は、第２の溝部１６Ｂがスコアライン１４に対してなす負の角度βが−８０度以上−１０度以下の範囲の上限値に近い−１０．５度である。
実験例２５は、第２の溝部１６Ｂがスコアライン１４に対してなす負の角度βが−８０度以上−１０度以下の範囲の下限値に近いである−７９．５度である。
【００７１】
実験例２６は、本発明の範囲内であり、請求項１、２の規定は満たすが、請求項３の規定を満たさないものであり、第１の溝部１６Ａおよび第２の溝部１６Ｂがスコアライン１４と接触しているものである。
したがって、実験例２６は、ゴルフのルールに適合しない。
【００７２】
実験例２７、２８は、本発明の範囲内であり、請求項１、２、３の規定は満たすが、請求項４の規定の一部を満たさないものである。
実験例２７は、第１の溝部１６Ａおよび第２の溝部１６Ｂの深さが５μｍ以上２５μｍ以下の範囲を上回る２６μｍである。したがって、実験例２７は、ゴルフのルールに適合しない。
実験例２８は、第１の溝部１６Ａおよび第２の溝部１６Ｂの深さが５μｍ以上２５μｍ以下の範囲を下回る４μｍである。
【００７３】
実験例２９、３０は、本発明の範囲内であり、請求項１、２、３、４の規定を満たすが、請求項４については規定の上限値あるいは下限値である。
実験例２９は、第１の溝部１６Ａおよび第２の溝部１６Ｂの深さが５μｍ以上２５μｍ以下の範囲の上限値２５μｍである。
実験例２８は、第１の溝部１６Ａおよび第２の溝部１６Ｂの深さが５μｍ以上２５μｍ以下の範囲の下限値５μｍである。
【００７４】
実験例３１、３２は、本発明の範囲内であり、請求項１、２、３の規定は満たすが、請求項４の規定の一部を満たさないものである。
実験例３１は、第１の溝部１６Ａおよび第２の溝部１６Ｂの配置間隔が０．５ｍｍ以上５．０ｍｍ以下の範囲を上回る６ｍｍである。
実験例３２は、第１の溝部１６Ａおよび第２の溝部１６Ｂの配置間隔が０．５ｍｍ以上５．０ｍｍ以下の範囲を下回る０．４ｍｍである。
【００７５】
実験例３３、３４は、本発明の範囲内であり、請求項１、２、３、４の規定を満たすが、請求項４については規定の上限値あるいは下限値に近い値である。
実験例３３は、第１の溝部１６Ａおよび第２の溝部１６Ｂの配置間隔が０．５ｍｍ以上５．０ｍｍ以下の範囲の上限値に近い４．５ｍｍである。
実験例３４は、第１の溝部１６Ａおよび第２の溝部１６Ｂの配置間隔が０．５ｍｍ以上５．０ｍｍ以下の範囲の下限値に近い０．６ｍｍである。
【００７６】
実験例３５、３６は、本発明の範囲内であり、請求項１、２、３の規定は満たすが、請求項４の規定の一部を満たさないものである。
実験例３５は、第１の溝部１６Ａおよび第２の溝部１６Ｂの幅が、０．０５ｍｍ以上０．２０ｍｍ以下の範囲を上回る０．２１ｍｍである。
実験例３６は、第１の溝部１６Ａおよび第２の溝部１６Ｂの幅が、０．０５ｍｍ以上０．２０ｍｍ以下の範囲を下回る０．０４ｍｍである。
【００７７】
実験例３７、３８は、本発明の範囲内であり、請求項１、２、３、４の規定を満たすが、請求項４については規定の上限値あるいは下限値に近い値である。
実験例３７は、第１の溝部１６Ａおよび第２の溝部１６Ｂの幅が、０．０５ｍｍ以上０．２０ｍｍ以下の範囲の上限値に近い０．１９ｍｍである。
実験例３８は、第１の溝部１６Ａおよび第２の溝部１６Ｂの幅が、０．０５ｍｍ以上０．２０ｍｍ以下の範囲の下限値に近い０．０６ｍｍである。
【００７８】
以下、各評価項目について検討する。
（１）ルール適合
実験例２６、２７を除く実験例１〜２５、２８〜３８はゴルフのルールに適合している。
【００７９】
（２）スピン量（ドライ）、スピン量（ウェット）
本発明の範囲内であり、請求項１〜４の全てを満たす実験例１３、１４、２０、２１、２４、２５、２９、３０、３３、３４、３７、３８は、スピン量（ドライ）が１１２〜１１６点であり、スピン量（ウェット）が１１０〜１１８点であり、それらの間に大きな差異がなく、天候の如何に拘わらずスピン量を安定して確保する上で有利であることがわかる。
本発明の範囲内であり、請求項１の規定は満たすが、請求項２、４のいずれかの規定が範囲外である実験例１８、１９、２２、２３、２７、２８、３１、３２、３５、３６は、スピン量（ドライ）が１１０〜１１５点であり、スピン量（ウェット）が１０４〜１１５点であり、スピン量（ドライ）に対してスピン量（ウェット）が若干低下する傾向であり、排水性を確保する効果が小さい。
本発明の範囲外であり、請求項１を満たさない実験例１〜１２、１５〜１７は、スピン量（ドライ）が９９〜１１６点であり、スピン量（ウェット）が１００〜１１５点であり、本発明に比較してスピン量を確保する効果が低いことがわかる。
【００８０】
３）飛距離
本発明の範囲内であり、請求項１〜４の全てを満たす実験例１３、１４、２０、２１、２４、２５、２９、３０、３３、３４、３７、３８は、飛距離が１０１〜１０５点であり、飛距離を確保する上で有利であることがわかる。
本発明の範囲内であり、請求項１の規定は満たすが、請求項２、４のいずれかの規定が範囲外である実験例１８、１９、２２、２３、２７、２８、３１、３２、３５、３６は、飛距離が１００〜１０２点であり飛距離を確保する効果が小さい。
本発明の範囲外であり、請求項１を満たさない実験例１〜１２、１５〜１７は、実験例３の飛距離１１５点を除いて飛距離が９７〜１０１点であり、本発明に比較して飛距離を確保する効果が低いことがわかる。
【００８１】
４）安定性
本発明の範囲内であり、請求項１〜４の全てを満たす実験例１３、１４、２０、２１、２４、２５、２９、３０、３３、３４、３７、３８は、安定性が１０１〜１０３点であり、合計点を確保する上で有利であることがわかる。
本発明の範囲内であり、請求項１の規定は満たすが、請求項２、４のいずれかの規定が範囲外である実験例１８、１９、２２、２３、２７、２８、３１、３２、３５、３６は、安定性９５〜１００点であり安定性を確保する効果が小さい。
本発明の範囲外であり、請求項１を満たさない実験例１〜１２、１５〜１７は、安定性が８９〜１０１点であり、本発明に比較して安定性を確保する効果が低いことがわかる。
【００８２】
（５）合計点
本発明の範囲内であり、請求項１〜４の全てを満たす実験例１３、１４、２０、２１、２４、２５、２９、３０、３３、３４、３７、３８は、合計点が４２９〜４４１点であり、最も優れている。
本発明の範囲内であり、請求項１の規定は満たすが、請求項２、４のいずれかの規定が範囲外である実験例１８、１９、２２、２３、２７、２８、３１、３２、３５、３６は、合計点が４１５〜４２５点であり次いで優れている。
本発明の範囲外であり、請求項１を満たさない実験例１〜１２、１５〜１７は、合計点が４００〜４１６点であり、本発明の範囲外のものは合計点の評価も低いものとなっている。
【符号の説明】
【００８３】
１０……ゴルフクラブヘッド、１２……フェース面、１４……スコアライン、１６Ａ……第１の溝部、１６Ｂ……第２の溝部、３０……帯状領域、３２……細溝、α……正の角度、β……負の角度。
【図１】
2014030566.tif 000003
【図２】
2014030566.tif 000004
【図３】
2014030566.tif 000005
【図４】
2014030566.tif 000006
【図５】
2014030566.tif 000007
【図６】
2014030566.tif 000008
【図７】
2014030566.tif 000009
【図８】
2014030566.tif 000010
【図９】
2014030566.tif 000011
【図１０】
2014030566.tif 000012
【図１１】
2014030566.tif 000013
【図１２】
2014030566.tif 000014
【図１３】
2014030566.tif 000015
【図１４】
2014030566.tif 000016
【図１５】
2014030566.tif 000017
【図１６】
2014030566.tif 000018
【図１７】
2014030566.tif 000019
【図１８】
2014030566.tif 000020
【図１９】
2014030566.tif 000021
【図２０】
2014030566.tif 000022
【図２１】
2014030566.tif 000023
【図２２】
2014030566.tif 000024
【図２３】
2014030566.tif 000025
【図２４】
2014030566.tif 000026
【図２５】
2014030566.tif 000027
【図２６】
2014030566.tif 000028
【図２７】
2014030566.tif 000029
【図２８】
2014030566.tif 000030
【図２９】
2014030566.tif 000031
【図３０】
2014030566.tif 000032
【手続補正書】
【提出日】平成25年2月12日(2013.2.12)
【手続補正１】
【補正対象書類名】明細書
【補正対象項目名】０００５
【補正方法】変更
【補正の内容】
【０００５】
上記目的を達成するために、本発明は、フェース面と、前記フェース面にトウヒール方向に延在しトウヒール方向と交差する方向に間隔をおいて互いに平行に形成された複数のスコアラインと、前記複数のスコアラインで挟まれ細長状にトウヒール方向に延在する前記フェース面の部分で形成された複数の帯状領域と、前記複数の帯状領域に形成された複数の細溝とを備えるゴルフクラブヘッドであって、前記複数の細溝は、複数の第１の溝部と複数の第２の溝部とを含み、前記第１の溝部と前記第２の溝部とは、前記交差する方向において隣り合う前記帯状領域毎に交互に形成され、前記第１の溝部の延在方向の両端および前記第２の溝部の延在方向の両端は、前記スコアラインの近傍に位置し、前記スコアラインと接触せず、前記スコアラインに対して前記第１の溝部と前記第２の溝部とがなす角度のうち、ヒールからトウに至るにしたがってそれら溝部が上方に変位する場合の角度を正、下方に変位する場合の角度を負としたとき、前記第１の溝部が前記スコアラインに対してなす角度および前記第２の溝部が前記スコアラインに対してなす角度のうち、一方の角度が正で他方の角度が負であり、前記正の角度は、１０度以上８０度以下の範囲内であり、前記負の角度は、−８０度以上−１０度以下の範囲内であり、前記第１の溝部および前記第２の溝部の深さは、５μｍ以上２５μｍ以下の範囲内であり、前記第１の溝部および前記第２の溝部の幅は、０．０５ｍｍ以上０．２０ｍｍ以下の範囲内であり、前記第１の溝部および前記第２の溝部の配置間隔は、０．５ｍｍ以上５．０ｍｍ以下の範囲内であることを特徴とする。
【手続補正２】
【補正対象書類名】特許請求の範囲
【補正対象項目名】全文
【補正方法】変更
【補正の内容】
【特許請求の範囲】
【請求項１】
フェース面と、
前記フェース面にトウヒール方向に延在しトウヒール方向と交差する方向に間隔をおいて互いに平行に形成された複数のスコアラインと、
前記複数のスコアラインで挟まれ細長状にトウヒール方向に延在する前記フェース面の部分で形成された複数の帯状領域と、
前記複数の帯状領域に形成された複数の細溝とを備えるゴルフクラブヘッドであって、
前記複数の細溝は、複数の第１の溝部と複数の第２の溝部とを含み、
前記第１の溝部と前記第２の溝部とは、前記交差する方向において隣り合う前記帯状領域毎に交互に形成され、
前記第１の溝部の延在方向の両端および前記第２の溝部の延在方向の両端は、前記スコアラインの近傍に位置し、前記スコアラインと接触せず、
前記スコアラインに対して前記第１の溝部と前記第２の溝部とがなす角度のうち、ヒールからトウに至るにしたがってそれら溝部が上方に変位する場合の角度を正、下方に変位する場合の角度を負としたとき、
前記第１の溝部が前記スコアラインに対してなす角度および前記第２の溝部が前記スコアラインに対してなす角度のうち、一方の角度が正で他方の角度が負であり、
前記正の角度は、１０度以上８０度以下の範囲内であり、
前記負の角度は、−８０度以上−１０度以下の範囲内であり、
前記第１の溝部および前記第２の溝部の深さは、５μｍ以上２５μｍ以下の範囲内であり、
前記第１の溝部および前記第２の溝部の幅は、０．０５ｍｍ以上０．２０ｍｍ以下の範囲内であり、
前記第１の溝部および前記第２の溝部の配置間隔は、０．５ｍｍ以上５．０ｍｍ以下の範囲内である、
ことを特徴とするゴルフクラブヘッド。
【請求項２】
前記第１の溝部および前記第２の溝部は、直線または曲線である、
ことを特徴とする請求項１記載のゴルフクラブヘッド。
【請求項３】
前記第１の溝部および前記第２の溝部は、切削加工、あるいは、レーザ加工、あるいは、打刻により形成される、
ことを特徴とする請求項１または２記載のゴルフクラブヘッド。
【請求項４】
前記複数の細溝は、前記フェース面の下縁から、前記スコアラインのうち最も長いスコアラインの中点を通り前記スコアラインと直交する直線に沿って少なくとも前記フェース面の下縁から１５ｍｍに最も近いスコアラインまで形成されている、
ことを特徴とする請求項１〜３に何れか１項記載のゴルフクラブヘッド。
【請求項５】
前記複数の細溝は、最もフェース面下縁寄りに位置するスコアラインと前記フェース面下縁との間の前記フェース面の箇所にも形成されている、
ことを特徴とする請求項１〜４に何れか１項記載のゴルフクラブヘッド。